(57)【特許請求の範囲】
【請求項１】
空気ボンベを立て掛けた状態で収納する空気呼吸器の収納装置であって、
空気ボンベの側面に対し、少なくとも二点以上の接触点で当接するボンベ保持部材と、
前記ボンベ保持部材が取り付けられる主フレームと、
前記主フレームの上方に、前後に回動可能に設置され、空気ボンベの上部に接触する押圧部が設けられた押えプレートとを具備し、
前記押えプレートは、前方側に回動させたときに固定位置となって、その押圧部が該空気ボンベの上部と接触して該空気ボンベを保持するとともに、
前記押えプレートは、前記固定位置から後方側へ回動させたときに待避位置となって、空気ボンベを取出可能とすることを特徴とする空気呼吸器の収納装置。
【請求項２】
前記ボンベ保持部材には、衝撃吸収可能な緩衝材が設けられ、該緩衝材を介在させた状態で、空気ボンベの側面に対し当接して保持することを特徴とする請求項１に記載の空気呼吸器の収納装置。
【請求項３】
前記押えプレートと、前記主フレームとの間には、該押えプレートを所望位置に固定するダンパが介在されていることを特徴とする請求項１又は２に記載の空気呼吸器の収納装置。
【請求項４】
前記押えプレートの押圧部として、空気ボンベの引出し方向へ回転可能なローラが設けられていることを特徴とする請求項１〜３のうち、いずれか１項に記載の空気呼吸器の収納装置。
【請求項５】
前記主フレームの下端付近から下方に延出して取り付けられ、該主フレームに対する取付位置を変更可能な下端プレートを有し、該下端プレートは側面視略Ｌ字状に形成され、底面部と、該底面部から上方へ延出する鉛直部とからなり、前記主フレームと前記鉛直部とが接続されるとともに、該底面部は収納用のスペース内に立設され、該底面部上に空気呼吸器の下端部が載置されることを特徴とする請求項１〜４のうち、いずれか１項に記載の空気呼吸器の収納装置。
【発明の詳細な説明】
【技術分野】
【０００１】
本発明は、空気呼吸器の収納装置に係り、消防自動車などの緊急車両に常備され、火災時の消火活動、災害などの際に使用される空気呼吸器を車両に収納する際に利用される装置に関する。
【背景技術】
【０００２】
一般に、消防自動車などの緊急車両には、火災発生時の消火活動や災害などの際の救急・救命活動に備え、いわゆる空気呼吸器が常備されている。空気呼吸器は、空気ボンベと、空気ボンベに接続された空気管やレギュレータ、吸気マスク等の付属物と、空気ボンベを背中に装着するための背当て部等を含む装具類とによって構成され、消防自動車などの座席後方のスペースに収納されている。
【０００３】
従来、このような空気呼吸器を緊急車両に収納する発明として、特開２００３−７０９２４号公報（特許文献１）に記載されたボンベ収納装置が知られている。同公報記載のボンベ収納装置は、ボックス形状に形成されたボンベ用の収納空間が設けられ、その内部にスライド可能なボンベ保持台を有し、当該収納空間に空気呼吸器をレギュレータなどの装具とともにボンベ保持台上に載置して収納し、使用時には前方側へボンベ保持台を進出させて、空気ボンベを装具とともに取り出すように構成されている。
【０００４】
また、実開平２−４５７６６号公報（特許文献２）記載の空気呼吸器の取付構造に係る考案は、座席シートの後方に形成したスペースの段部に空気呼吸器を脱着可能に設置し、当該空気呼吸器を背凭れ（シートバック）としても機能させるように構成し、着座時にはボンベの背当部を利用して凭れることができることから、緊急時でも迅速に空気呼吸器の装着が可能であるとされている。
【先行技術文献】
【特許文献】
【０００５】
【特許文献１】特開２００３−７０９２４号公報
【特許文献２】実開平２−４５７６６号公報
【発明の開示】
【発明が解決しようとする課題】
【０００６】
しかしながら、特許文献１記載の発明では、ボックス状の収納部の内部に空気呼吸器を収納するように構成されていることから、空気呼吸器を前方へ移動させるスライド可能なボンベ保持台を必要とするなど構造が複雑である。また、空気呼吸器の使用時には、前扉の開放動作を行ってから、空気呼吸器を保持台とともに前方へ移動させる必要があり、使用者が空気呼吸器を迅速に装着するのが難しいという課題があった。
【０００７】
特許文献２記載の考案の場合は、ボンベを車両内に固定するために、取付ベルトと取付金具を利用しており、やはり、座席に座った状態で空気呼吸器を背負って行動する場合に、取付ベルトと取付金具を外す動作が不可欠であり、緊急時の動作を妨げる可能性があった。また、近年の空気ボンベの軽量化の要請により、ボンベの素材や形状も多種類存在することから、一つの収納装置で、多くのボンベに対応できる収納装置の開発が望まれている。
【０００８】
本発明は、このような事情に鑑みてなされたもので、消防自動車などの緊急車両の車内に常備される空気呼吸器を装着した状態で、容易且つ迅速に取り外して緊急現場に駆けつけることが可能であり、特に車両から移動するときに、動きを妨げない空気呼吸器の収納装置を提供することを目的としている。
加えて、様々な大きさや形状のボンベを備えた空気呼吸器に対応することが可能であるとともに、設置される車内のスペースが少なくて済み、汎用性に優れた空気呼吸器の収納装置の提供を目的とする。
【課題を解決するための手段】
【０００９】
請求項１記載の発明は、空気ボンベを立て掛けた状態で収納する空気呼吸器の収納装置であって、空気ボンベの側面に対し、少なくとも二点以上の接触点で当接するボンベ保持部材と、前記ボンベ保持部材が取り付けられる主フレームと、前記主フレームの上方に、前後に回動可能に設置され、空気ボンベの上部に接触する押圧部が設けられた押えプレートとを具備し、前記押えプレートは、前方側に回動させたときに固定位置となって、その押圧部が該空気ボンベの上部と接触して該空気ボンベを保持するとともに、前記押えプレートは、前記固定位置から後方側へ回動させたときに待避位置となって、空気ボンベを取出可能とすることを特徴としている。
【００１０】
請求項２記載の発明は、上記１項において、前記ボンベ保持部材には、衝撃吸収可能な緩衝材が設けられ、該緩衝材を介在させた状態で、空気ボンベの側面に対し当接して保持することを特徴としている。
【００１１】
請求項３記載の発明は、上記１項又は２項において、前記押えプレートと、前記主フレームとの間には、該押えプレートを所望位置に固定するダンパが介在されていることを特徴としている。
【００１２】
請求項４記載の発明は、上記１〜３項のうち何れか１項において、前記押えプレートの押圧部として、空気ボンベの引出し方向へ回転可能なローラが設けられていることを特徴としている。
【００１３】
請求項５記載の発明は、上記１〜４項のうち何れか１項において、前記主フレームの下端付近から下方に延出して取り付けられ、該主フレームに対する取付位置を変更可能な下端プレートを有し、該下端プレートは側面視略Ｌ字状に形成され、底面部と、該底面部から上方へ延出する鉛直部とからなり、前記主フレームと前記鉛直部とが接続されるとともに、該底面部は収納用のスペース内に立設され、該底面部上に空気呼吸器の下端部が載置されることを特徴としている。
【発明の効果】
【００１４】
本発明によれば、様々な大きさや形状のボンベを備えた空気呼吸器に対応可能であるとともに、設置スペースが少なくて済み、汎用性に優れている。
また、緊急車両等に常備される空気呼吸器を装着した状態で、手を触れることなく、容易且つ迅速に取り外して車両等から火災現場や災害現場に駆けつけることを可能である。
【図面の簡単な説明】
【００１５】
【図１】本発明の一実施形態に係る収納装置の全体構成を示す斜視図である。
【図２】同じく、本発明の一実施形態に係る収納装置の分解斜視図である。
【図３】同じく、本発明の一実施形態に係る収納装置における空気ボンベの側面並びにボンベ保持部材との位置関係を示す平面図である。
【図４】同じく、本発明の一実施形態に係る収納装置における空気ボンベの側面並びにボンベ保持部材との位置関係を示す平面図であって緩衝材の数を２つとした場合を示した図である。
【図５】同じく、本発明の一実施形態に係る収納装置の正面図、平面図、側面図である。
【図６】同じく、本発明の一実施形態に係る収納装置に、装具とともに空気呼吸器を収納した状態を示す側面図である。
【図７】同じく、本発明の一実施形態に係る収納装置における空気呼吸器の状況を示す概略斜視図である。
【図８】同じく、本発明の一実施形態に係る収納装置を、緊急車両の座席後方に設置した場合を示す概略図である。
【発明を実施するための最良の形態】
【００１６】
以下、本発明に係る空気呼吸器の収納装置の好適な実施形態について、添付図面を参照して詳細に説明する。
【００１７】
図１は本発明の一実施形態に係る空気呼吸器の収納装置の全体構成を示す斜視図、図２は当該収納装置の分解斜視図である。
【００１８】
図１に示されるように、本実施形態における空気呼吸器の収納装置１０は、ボンベ保持部材１２，１２、主フレーム１４、下端プレート１６、押えプレート１８等を具備して構成され、これらの各部材は例えば鋼板を成形加工することによって形成される。
これらの部材のうち、ボンベ保持部材１２には、図２に示されるように、空気ボンベの側面が嵌め込まれる平面視略円弧状の嵌合部１２Ａが設けられているとともに、この嵌合部１２Ａに、後述するように緩衝材１２Ｂが配設されている。
【００１９】
ボンベ保持部材１２は、主フレーム１４に、３つの螺子孔１２Ｃを利用してビス止めによって取り付けられているが、これらの螺子孔１２Ｃは、縦方向に長く穿孔された長孔であり、この螺子孔１２Ｃを活用することにより、主フレーム１４に対するボンベ保持部材１２の取付位置を、上下方向へ一定範囲で微調整することができるようになっている。
【００２０】
図３は空気ボンベの側面並びにボンベ保持部材との位置関係を示す平面図、図４は同じく空気ボンベの側面並びにボンベ保持部材との位置関係を示す平面図であって緩衝材の数を２つとした場合を示した図である。
図３に示されるように、嵌合部１２Ａの内側上縁には、計５箇の緩衝材１２Ｂがビス止めによって取り付けられている。緩衝材１２Ｂはプラスチック、硬質ゴム等の樹脂材料、各種のクッション材等が好適であり、空気呼吸器の主要な部分を構成する空気ボンベ５０の側面に対して当接することにより、空気ボンベ５０を収納装置１０の内部側にガタツキなく保持することができる。
なお、緩衝材１２Ｂは、収納される空気ボンベ５０に合わせて、その取付位置や形状を適宜選択することにより、外形寸法若しくは形状の異なる多種類のボンベに対応することが可能である。
【００２１】
本実施形態では嵌合部１２Ａに５つの緩衝材１２Ｂを取り付けているが、空気ボンベをガタツキなく保持するためには、空気ボンベの側面に対し、少なくとも二点で当接すれば十分である。
図４に示されるように二点で保持する場合、その緩衝材１２Ｄは隣接する緩衝材との間をある程度、隔てるとともに嵌合部１２Ａに対し空気ボンベ５０の側面が接触しないように配置すれば良い。ボンベ保持部材１２は主フレーム１４に対し、上側と下側とに２つ設けられており、空気ボンベ５０の上部側面及び下部側面に、それぞれのボンベ保持部材１２の緩衝材１２Ｂが当接することによって、空気ボンベ５０の保持を確実ならしめている。
【００２２】
図２に示されるように、主フレーム１４は、鋼板を折り曲げ加工することによって形成され、その上側には正面方向に突出する左右一対の取付片１４Ａ，１４Ａが設けられているとともに、さらに下側には左右一対の突片１４Ｂ，１４Ｂが設けられている。取付片１４Ａ，１４Ａには、押えプレート１８の鉛直片１８Ａ，１８Ａが、ボルト・ナット２０，２０によって軸支持されて、押えプレート１８が主フレーム１４に対して回動可能に取り付けられている。
【００２３】
図５（ａ）は本発明の一実施形態に係る空気呼吸器の収納装置の正面図、図５（ｂ）は空気呼吸器の収納装置の側面図、図５（ｃ）は空気呼吸器の平面図、図６は本発明の一実施形態に係る空気呼吸器の収納装置に装具を備えた空気呼吸器を収納した状態を示す側面図である。
図１、図２及び図５に示されるように、主フレーム１４と押えプレート１８との間には、それぞれ突片１４Ｂ及びブラケット１８Ａを介して取り付けられたダンパ２２が介在されている。このダンパ２２は、押えプレート１８を回動させる際に、弾性力並びに減衰力を押えプレート１８と主フレーム１４との間に作用させることによって、押えプレート１８を待避位置（図５（ｂ）の二点鎖線の位置）、或いは固定位置（図５（ｂ）の実線の位置）のうち、いずれか一方の位置に固定することができるようになっている。
【００２４】
ダンパ２２は、アーム２２Ａと、筒部２２Ｂとからなり、このうち、アーム２２Ａの下端部が突片１４Ｂに対し、ブラケット２４によって取り付けられているとともに、筒部２２Ｂの上端部は、鉛直片１８Ａに対し、ブラケット２６によって取り付けられている。図１及び図２に示されるように、押えプレート１８の下面には、押圧部としてのローラ２８Ａ，２８Ｂが取り付けられている。
【００２５】
図７は本発明の一実施形態に係る空気呼吸器の収納装置に収納された空気ボンベの収納状況等を示す概略斜視図である。
図７（ａ）に示されるように、ローラ２８Ａ，２８Ｂは、押えプレート１８を前方側に回動させると、空気ボンベ５０の前部上面と当接し、ダンパ２２による弾性力が、押えプレート１８を経てローラ２８Ａ，２８Ｂへ伝わることによって、空気ボンベ５０を押圧して保持するようになっている（固定位置）。
【００２６】
一方、空気ボンベ５０を前方側、つまり矢印Ｘ方向へ傾動させると、図７（ｂ）に示されるように、空気ボンベ５０の上部と、ローラ２８Ａ，２８Ｂとが接触しながら、ローラ２８Ａ，２８Ｂが回転しつつ押えプレート１８を後方側へ回動させる（回動中）。
さらに、空気ボンベ５０を後方へ移動させて完全に取り出すと、押えプレート１８は、図７（ｃ）に示される待避位置へ回動して停止する（待避位置）。
【００２７】
図１、図２、図５（ａ）、（ｂ）に示されるように、主フレーム１４の下部側には、側面視略Ｌ字状に形成された下端プレート１６が設置され、この下端プレート１６は底面部１６Ａと、該底面部１６Ａから上方へ延出する鉛直部１６Ｂとを有している。
この下端プレート１６の鉛直部１６Ｂには、縦方向に長い螺子孔１６Ｃが４つ穿孔されており、ボンベ保持部材１２と同様、これらの螺子孔１６Ｃを利用することによって主フレーム１４に対する取付位置を上下方向へ一定範囲で調整することができる。このため、主フレーム１４に対する下端プレート１６の取付位置を選択して、収納装置１０全体として長さを調整することにより、縦方向の長さが異なるサイズの空気ボンベにも対応することが可能である。このため、様々な大きさのボンベを備えた空気呼吸器に対応することが可能であり、汎用性に優れるという利点がある。
【００２８】
図８は緊急車両の座席後方に、本実施形態の空気呼吸器の収納装置を設置した場合を示す概略図である。図８に示されるように、下端プレート１６の底面部１６Ａは、消防自動車等の座席後方に設けられている空気呼吸器の収納スペース５２上に立設され、この底面部１６Ａを利用して、空気呼吸器を立設させた状態で収納できるようになっている。また、主フレーム１４は、収納スペース５２の図示しない壁面に固定されている。
【００２９】
さらに、底面部１６Ａに空気呼吸器の付属物であるマスク、レギュレータ等を載置しておくこともできる。座席５６に着席した消防士などは、空気呼吸器を肩掛けベルト５４を掛けた状態で車両に乗車し、火災などの緊急現場に到着すると同時に、空気呼吸器及び装具一式を背負って速やかに車両から下車することが可能である。
【００３０】
車両から下車の際は、前述の図７（ａ）の状態から、空気ボンベ５０を前方側、つまり矢印Ｘ方向へ傾けると、図７（ｂ）に示されるように、空気ボンベ５０の上部の傾斜面によってローラ２８Ａ，２８Ｂが、押えプレート１８を上方へ持ち上げながら回転し、押えプレート１８を後方側へ回動させる。そして、最終的には押えプレート１８は、図７（ｃ）に示される待避位置へ回動した状態で停止する。
【００３１】
つまり、本実施形態の空気呼吸器の収納装置では、下車時には空気ボンベ５０を前方へ傾動させるだけで、収納装置から取り外して緊急現場へ駆けつけることが可能になっている。これにより、緊急時は迅速に空気呼吸器を背負った状態で、座席５６から立ち上がるだけで空気呼吸器を取り外すことができるため、空気呼吸器を身に着けて緊急車両から、容易且つスムーズに下車して緊急現場へ駆けつけることが可能となる。また、緊急業務の終了後に、空気呼吸器の収納に要する時間についても、短縮することができる。
【００３２】
なお、本実施形態では、押えプレート１８の押圧部として、ローラ２８Ａ，２８Ｂを用いているが、これに限らず、収納時は空気ボンベの上面に押圧力を付与して収納状態を維持することができるとともに、取出し時には、空気ボンベの傾動動作を妨げない部材であれば、その種類は問わない。例えば、球面状に形成されたもの、摩擦係数の低い滑らかな押え部材なども利用可能である。
【００３３】
以上説明したように、本実施形態の空気呼吸器の収納装置によれば、緊急車両に常備されている空気呼吸器を、装着した状態でスムーズに取り出して、火災現場や災害現場等に駆けつけることができる。また、様々な形状や大きさの空気ボンベを備えた空気呼吸器に対応することができるので、汎用的に使用することができる。
【産業上の利用可能性】
【００３４】
本発明は、消防車や災害用の車両や輸送用機器など、空気呼吸器が常備されている各種の緊急車両や各種の機器に利用することが可能である。
【符号の説明】
【００３５】
１０                  空気呼吸器の収納装置
１２                  ボンベ保持部材
１２Ａ                嵌合部
１２Ｂ                緩衝材
１２Ｃ                螺子孔
１４                  主フレーム
１４Ａ                取付片
１４Ｂ                突片
１６                  下端プレート
１６Ａ                底面部
１６Ｂ                鉛直部
１６Ｃ                螺子孔
１８                  押えプレート
１８Ａ                鉛直片
２０                  ボルト・ナット
２２                  ダンパ
２２Ａ                筒部
２２Ｂ                アーム
２４  ２６            ブラケット
２８Ａ  ２８Ｂ        ローラ
５０                  空気ボンベ
５２                  収納スペース
５４                  肩掛けベルト
５６                  座席
【図１】
0006352795.tif 000002
【図２】
0006352795.tif 000003
【図３】
0006352795.tif 000004
【図４】
0006352795.tif 000005
【図５】
0006352795.tif 000006
【図６】
0006352795.tif 000007
【図７】
0006352795.tif 000008
【図８】
0006352795.tif 000009